(57)【要約】【課題】複数の携帯オーディオ機器に記憶された楽曲情報を一元的に管理することにより、所望の楽曲情報を簡単に選び、複数の携帯オーディオ機器を制御して楽曲情報を再生可能な携帯オーディオ機器の制御システムを提供する。【解決手段】車載用サーバー装置８には楽曲情報を出力するための音声出力端子４ａ〜４ｎが接続されている。また、車載用サーバー装置８のマイコン２内部には携帯オーディオ機器１ａ〜１ｎより楽曲情報のメタ情報を取得する情報取得部５と、メタ情報と共に携帯オーディオ機器１ａ〜１ｎと短距離無線モジュール９ａ〜９ｎとの組み合わせ情報を一元的に管理する情報管理部６と、携帯オーディオ機器１ａ〜１ｎの再生する楽曲情報を音声出力端子４ａ〜４ｎに割り振るオーディオパス制御手段７が設けられている。【選択図】図１
2011029995.tif 000002
【特許請求の範囲】
【請求項１】
携帯オーディオ機器と間で情報のやり取りを行う通信手段を複数備えた携帯オーディオ機器の制御システムであって、
前記携帯オーディオ機器より前記楽曲情報のメタ情報を取得する情報取得手段と、
前記メタ情報と共に前記通信手段と前記携帯オーディオ機器との組合わせを示す組合せ情報を一元的に管理する情報管理手段と、
前記楽曲情報を出力するための音声出力端子と、
前記携帯オーディオ機器の再生する楽曲情報を前記音声出力端子に割り振るオーディオパス制御手段、を備えたことを特徴とする携帯オーディオ機器の制御システム。
【請求項２】
前記音声出力端子を複数備えたことを特徴とする請求項１に記載の携帯オーディオ機器の制御システム。
【請求項３】
前記情報取得手段は、前記携帯オーディオ機器に関する識別情報を前記携帯オーディオ機器側から取得するように構成し、
前記情報管理手段は前記識別情報と前記携帯オーディオ機器の持つ前記楽曲情報のメタ情報を関連付けて管理するように構成したことを特徴とする請求項１または２に記載の携帯オーディオ機器の制御システム。
【請求項４】
前記音声出力端子から前記楽曲情報を出力するとき、当該楽曲情報を購入可能な楽曲情報購入サイトへのアクセス情報を表示するように構成したことを特徴とする請求項１〜３のいずれか１項に記載の携帯オーディオ機器の制御システム。
【請求項５】
前記情報管理手段の管理する情報を表示する管理情報表示手段を備えたことを特徴とする請求項１〜４のいずれか１項に記載の携帯オーディオ機器の制御システム。
【発明の詳細な説明】
【技術分野】
【０００１】
本発明は、複数の携帯オーディオ機器が存在する車室内で車載用サーバー装置としての使用が好適である、携帯オーディオ機器の制御システムに関するものである。
【背景技術】
【０００２】
近年、携帯オーディオ機器の普及は著しく、楽曲情報の再生機能を持つ携帯電話機も含めれば、一人が１台所有していると言っても過言ではない。そのため、一台の車両に複数の人が同乗するとき、車室内には人数に見合った複数の携帯オーディオ機器が存在しており、バラエティに富んだ楽曲情報が集まることになる。
【０００３】
このとき、同乗者同士が、家族や友人、あるいはバスツアーのツーリストなど特定多数の人である場合、普段聴いている携帯オーディオ機器内の楽曲情報ではなく、同乗者の持つ携帯オーディオ機器内の楽曲情報を自由に選曲して、一緒に楽しみたいといった要望がある。特に、長時間のドライブなどの折りには、ドライブの楽しさを広げるべく、その実現を望む声が強い。
【０００４】
現に、携帯オーディオ機器に対応するタイプのカーオーディオ機器は、高い支持を得ており、様々な方式が提案されている。例えば、ＦＭトランスミッタを利用して、携帯オーディオ機器で再生した楽曲情報をカーオーディオ機器側のＦＭラジオに飛ばす技術がある。
【０００５】
また、カーオーディオ機器にＵＳＢ対応のケーブルやスロットを装備し、これらのケーブルやスロットを介して携帯オーディオ機器とカーオーディオ機器とを直接つなげて、楽曲情報のファイル転送を行う技術も知られている。これらの技術を利用することによって、携帯オーディオ機器内の楽曲をカーオーディオ機器のスピーカーを通して楽しむことができる。
【０００６】
さらに近年では、インターネットなどの通信回線を経由して楽曲情報を携帯オーディオ機器にダウンロードすることが多い。具体的には、特許文献１では、機器制御リモコンを情報提供サーバーと接続し、楽曲情報を含むコンテンツ情報およびその目次情報を取得している。このような従来技術によれば、機器制御リモコンをカーオーディオ機器に接続することで、情報提供サーバーからカーオーディオ機器に所望のコンテンツ情報およびその目次情報をダウンロードすることができる。
【先行技術文献】
【特許文献】
【０００７】
【特許文献１】特開２００５−１８４５９１号公報
【発明の概要】
【発明が解決しようとする課題】
【０００８】
ところで、携帯オーディオ機器はカーオーディオ機器側のコントローラーと１対１で接続されている。したがって、携帯オーディオ機器が複数台あるとすれば、コントローラーに接続する携帯オーディオ機器を順次切り替え、各携帯オーディオ機器の有する楽曲情報を、１台ずつマニュアル操作で確認する必要があった。
【０００９】
このような接続切り替えを伴う楽曲情報の確認作業は、携帯オーディオ機器の数に比例して作業量が増えるので、ユーザーにとって非常に面倒である。そのため、複数の携帯オーディオ機器内の楽曲を自由に聴きたいという要望はあるものの、面倒さが勝って実現化されずに終わっていた。
【００１０】
本発明は、上記の課題を解消するために提案されたものであり、その目的は、複数の携帯オーディオ機器に記憶された楽曲情報を一元的に管理することにより、所望の楽曲情報を簡単に選ぶことができ、複数の携帯オーディオ機器を制御して楽曲情報を再生可能な携帯オーディオ機器の制御システムを提供することにある。
【課題を解決するための手段】
【００１１】
上記目的を達成するために、請求項１の発明は、携帯オーディオ機器と間で情報のやり取りを行う通信手段を複数備えた携帯オーディオ機器の制御システムであって、前記携帯オーディオ機器より前記楽曲情報のメタ情報を取得する情報取得手段と、前記メタ情報と共に前記通信手段と前記携帯オーディオ機器との組合わせを示す組合せ情報を一元的に管理する情報管理手段と、前記楽曲情報を出力するための音声出力端子と、前記携帯オーディオ機器の再生する楽曲情報を前記音声出力端子に割り振るオーディオパス制御手段、を備えたことを特徴とするものである。
【００１２】
以上の構成を有する本発明では、通信手段を介して情報取得手段が携帯オーディオ機器側から楽曲情報のメタ情報を取得し、情報管理手段はメタ情報と共に、携帯オーディオ機器と通信手段との組み合わせ情報を一元的に管理することが可能となる。したがって、面倒な確認作業を行うことなく、どの携帯オーディオ機器にどのような楽曲情報が入っているのかを把握することができる。そして、オーディオパス制御手段が携帯オーディオ機器の再生する楽曲情報を音声出力端子に割り振ることで、ユーザーが聞きたい楽曲情報を携帯オーディオ機器から直接、ストリーミング再生することができる。
【００１３】
請求項２の発明は、請求項１に記載の携帯オーディオ機器の制御システムにおいて、前記音声出力端子を複数備えたことを特徴としている。このような発明では、音声パスを振り分けることで複数の音声出力端子から同一の楽曲情報を出力する再生や、各音声出力端子から別々の楽曲情報を出力する再生が可能となり、楽曲の楽しみ方に多様性を与えることができる。
【００１４】
請求項３の発明は、請求項１または２に記載の携帯オーディオ機器の制御システムにおいて、前記情報取得手段は、前記携帯オーディオ機器に関する識別情報を前記携帯オーディオ機器側から取得するように構成し、前記情報管理手段は前記識別情報と前記携帯オーディオ機器の持つ前記楽曲情報のメタ情報を関連付けて管理するように構成したことを特徴としている。
【００１５】
この請求項３の発明では、情報取得手段が携帯オーディオ機器の識別情報を携帯オーディオ機器側から取得し、情報管理手段が携帯オーディオ機器の識別情報と携帯オーディオ機器の持つ楽曲情報のメタ情報を関連付けて管理するので、音声出力端子から楽曲情報を出力するときに、管理情報表示手段は楽曲情報のメタ情報と共に、当該楽曲情報が帰属する携帯オーディオ機器の識別情報を表示することが可能である。したがって、ユーザーは、再生中の楽曲情報が誰の所有する携帯オーディオ機器に入っているものなのかを容易に知ることができる。
【００１６】
請求項４の発明は、請求項１〜３のいずれか１項に記載の携帯オーディオ機器の制御システムにおいて、前記音声出力端子から前記楽曲情報を出力するとき、当該楽曲情報を購入可能な楽曲情報購入サイトへのアクセス情報を表示するように構成したことを特徴としている。
【００１７】
以上のような請求項４の発明では、本システムがネットワークに接続されていれば、楽曲情報の再生中に表示されたアクセス情報に基づいて楽曲情報購入サイトに簡単にアクセスできるので、再生中の楽曲を検索して購入するという手間が省けて便利である。
【００１８】
請求項５の発明は、請求項１〜４のいずれか１項に記載の携帯オーディオ機器の制御システムにおいて、前記情報管理手段の管理する情報を表示する管理情報表示手段を備えたことを特徴とする。この発明では、管理情報表示手段によって情報管理手段の管理した情報を一覧表示することが可能なので、ユーザーは自分が聞きたい楽曲を簡単且つ確実に選ぶことができる。
【発明の効果】
【００１９】
本発明に係る携帯オーディオ機器の制御システムによれば、複数の携帯オーディオ機器に入った楽曲情報を一元的に管理することにより、面倒な確認作業を行うことなく、任意の携帯オーディオ機器の操作にて楽曲情報を選ぶことができ、複数の携帯オーディオ機器を制御して、他人の携帯オーディオ機器内の楽曲であっても、これを簡単に聴くことができる。
【図面の簡単な説明】
【００２０】
【図１】本発明に係る代表的な実施形態の構成を示すブロック図。
【図２】本実施形態の動作を示すフローチャート。
【発明を実施するための形態】
【００２１】
（１）構成
以下、本発明を実施するための形態の一例について、図１、図２を参照して具体的に説明する。図１のブロック図に示すように、本実施形態は、複数台の携帯オーディオ機器１ａ〜１ｎを制御するためのシステムであって、車両に搭載されることを前提としている。
【００２２】
すなわち、特定多数の人が車両に同乗することで同一車室内に複数台の携帯オーディオ機器１ａ〜１ｎが存在することを想定し、携帯オーディオ機器１ａ〜１ｎに入った楽曲情報の中から、所望の楽曲情報を選曲して聴くための車載用サーバー装置８として機能するものである。
【００２３】
車載用サーバー装置８には、携帯オーディオ機器１ａ〜１ｎと間で情報のやり取りを行う短距離無線モジュール９ａ〜９ｎが複数設けられている。これら短距離無線モジュール９ａ〜９ｎには、車載用サーバー装置８全体の制御を司るマイコン２が接続されている。また、マイコン２にはＲＡＭ３が設置され、さらに音声出力端子４ａ〜４ｎが複数接続されている。
【００２４】
マイコン２の内部には、ハードウェアのプログラム制御により実現する手段として、情報取得部５、情報管理部６、オーディオパス制御部７が設けられている。このうち、情報取得部５は、短距離無線モジュール９ａ〜９ｎを介して携帯オーディオ機器１ａ〜１ｎ側より各楽曲情報におけるメタ情報を取得する部分である。
【００２５】
楽曲情報のメタ情報としては、アーティスト名、アルバムタイトル、ジャンル、携帯オーディオ機器１ａ〜１ｎの機器の機種名、さらにはｖＣａｒｄの自分情報などが含まれる。
【００２６】
情報管理部１６は、上記メタ情報と、携帯オーディオ機器１ａ〜１ｎと短距離無線モジュール９ａ〜９ｎとの組み合わせ情報を一元的に管理する部分である。情報管理部６によって管理される情報は、ＲＡＭ３に書き込まれる。
【００２７】
オーディオパス制御部７は、短距離無線モジュール９ａ〜９ｎを介して携帯オーディオ機器１ａ〜１ｎ側からリモコン信号を受け付け、携帯オーディオ機器１ａ〜１ｎの再生する楽曲情報を音声出力端子４ａ〜４ｎに割り振る部分である。
【００２８】
（２）動作
続いて、本実施形態の動作について、図２のフローチャートを参照して説明する。まず、ステップＳ１０１において、携帯オーディオ機器１ａ〜１ｎを短距離無線モジュール９ａ〜９ｎに近づけると、携帯オーディオ機器１ａ〜１ｎは自動的に接続する。
【００２９】
ステップＳ１０２では、マイコン２内の情報取得部５が、短距離無線モジュール９ａ〜９ｎに接続した携帯オーディオ機器１ａ〜１ｎから楽曲情報のメタ情報を取得し、取得したメタ情報をＲＡＭ３に書き込む。さらに、ステップＳ１０３において、短距離無線モジュール９ａ〜９ｎと携帯オーディオ機器１ａ〜１ｎとの組合せ情報をＲＡＭ３に書き込む。
【００３０】
ステップＳ１０４では、携帯オーディオ機器１ａ〜１ｎのいずれかが再生を開始する。これがトリガーとなって、ステップＳ１０５では、携帯オーディオ機器１ａ〜１ｎによるリモコンの受け付けがあるかどうかを判定する。リモコン受け付けがあれば（ステップＳ１０５のＹｅｓ）、コントロール先の携帯オーディオ機器１ａ〜１ｎおよび楽曲情報について、対応する短距離無線モジュール９ａ〜９ｎへ、所定のコマンドを送信する（ステップＳ１０６）。
【００３１】
次に、ステップＳ１０７において、オーディオパス制御部７により、該当する携帯オーディオ機器１ａ〜１ｎと音声出力端子４ａ〜４ｎとのオーディオパスの切り替えを行う。
【００３２】
（３）作用効果
以上の構成を有する本実施形態では、情報管理部６が各携帯オーディオ機器１ａ〜１ｎの有する楽曲情報のメタ情報と携帯オーディオ機器１ａ〜１ｎと短距離無線モジュール９ａ〜９ｎとの組み合わせ情報を一元的に管理している。
【００３３】
したがって、携帯オーディオ機器１ａ〜１ｎが多数存在しても、各携帯オーディオ機器１ａ〜１ｎにどのような楽曲情報が入っているのかを正確に把握することができる。このため、複数の携帯オーディオ機器１ａ〜１ｎ内の楽曲情報の共有化を図ることができ、共有化した楽曲情報の中から任意の楽曲情報を、携帯オーディオ機器１ａ〜１ｎから直接的にストリーミングして再生することができる。
【００３４】
これにより、携帯オーディオ機器１ａ〜１ｎの有する楽曲情報をいちいち手作業で確認するといった面倒な作業を省いて、複数の携帯オーディオ機器１ａ〜１ｎ内の楽曲情報を簡単に選曲し、希望の楽曲を聴くことができる。このような携帯オーディオ機器の制御システムは、特定多数の人が同乗する車両内での利用が最適であって、コミュニケーションが深まるなど、ロングドライブにおける楽しさを広げることができる。
【００３５】
また、本実施形態ではオーディオパス制御部７により音声パスを振り分けることができる。そのため、音声出力端子４ａ〜４ｎの中から適宜組合わせた音声出力端子４ａ〜４ｎから、同一の楽曲情報を出力したり、別々の楽曲情報を独立して出力したりすることが可能となる。さらに、メタ情報に基づいて、例えば、同一アーティストあるいは同一ジャンルの楽曲情報を一括再生することができる。
【００３６】
（４）他の実施形態
なお、本発明は以上の実施形態に限定されるものではなく、楽曲情報のメタ情報の種類なども含めて、各部材の構成や配置等は適宜変更可能である。例えば、通信手段としては、ＦＭトランスミッタをはじめ、Ｂｌｕｅｔｏｏｔｈ、ＷｉＭＡＸ、ＷｉＦｉなど適宜選択自由であって、さらには無線通信ではなく、ケーブルによる通信であっても構わない。また、通信手段の設置場所としては、車載用サーバー装置８と一体化させるのであればセンターコンソール付近が最も一般的であるが、通信性能を考慮して車室内の中心部分に設置してもよい。
【００３７】
上記実施形態の情報取得部５では、携帯オーディオ機器１ａ〜１ｎの識別情報として機器の機種名を取得し、情報管理部６にて機器の機種名と携帯オーディオ機器１ａ〜１ｎの持つ楽曲情報のメタ情報を関連付けて管理している。したがって、楽曲情報の再生中に機器の機種名を提示することによって、再生中の楽曲情報について、誰の所有する携帯オーディオ機器１ａ〜１ｎに入っているものなのかを簡単に知ることができる。
【００３８】
このとき、情報管理部６の管理する情報を一覧表示する管理情報表示手段を備えれば、ユーザーは自分が聞きたい楽曲の表示を簡単且つ確実に選ぶことが可能となる。なお、管理情報表示手段は車載用サーバー装置８側に設けてもよいし、表示用データを携帯オーディオ機器１ａ〜１ｎ側に送り、携帯オーディオ機器１ａ〜１ｎの表示部を利用するようにしてもよい。
【００３９】
また、再生中の楽曲情報をオンライン購入可能な楽曲情報購入サイトが存在するとして、楽曲の再生中に、前記楽曲情報購入サイへのアクセス情報を表示するように構成することも有効である。このような実施形態によれば、本システムがネットワークに接続されていれば、前記アクセス情報を基づいて楽曲情報購入サイトに簡単にアクセスできるので、再生中の楽曲を検索して購入するという手間が省ける。
【００４０】
さらに、音声出力端子４ａ〜４ｎに接続される端末として、携帯オーディオ機器１ａ〜１ｎを適宜接続することも可能である。この場合、携帯オーディオ機器の処理能力が十分に高く、且つ帯域が確保するという条件を満たせば、携帯オーディオ機器１ａの中の楽曲Ｂ、Ｃを、それぞれ別の携帯オーディオ機器１ｂ、１ｃで聴くことや、携帯オーディオ機器１ａの中の楽曲Ｂを携帯オーディオ機器１ｂで聴き、携帯オーディオ機器１ｂの中の楽曲Ｄをオーディオ機器１ａで聴くといったことも可能である。
【００４１】
また、本発明は車載用サーバー装置として好適であるが、これに限らず、限定された空間に多数の携帯オーディオ機器が集まる場所であるならば、同様の作用効果を発揮することができる。
【符号の説明】
【００４２】
１ａ〜１ｎ…携帯オーディオ機器
２…マイコン
３…ＲＡＭ
４ａ〜４ｎ…音声出力端子
５…情報取得部
６…情報管理部
７…オーディオパス制御部
８…車載用サーバー装置
９ａ〜９ｎ…短距離無線モジュール
【図１】
2011029995.tif 000003
【図２】
2011029995.tif 000004